(57)【要約】【課題】周囲環境の雑音が低下する夜間などにおいて最大音量値で音量規制を行うのみでは、通常使用する音量領域では周囲雑音に合わせ音量調節をしなければならなかった。【解決手段】テレビジョン受像機は、現在時刻を算出する計時手段と、所定時間及び所定時間における音量を軽減させる音量軽減係数を記憶しておく記憶手段を備えており、テレビジョン受像機のマイコンは計時手段により得られた計時情報に基づいて記憶手段から所定時間における音量軽減係数を取得し、これに基づいて音量出力を制御する。【選択図】図１
2006060354.tif 000002
【特許請求の範囲】
【請求項１】
所定時間において、音量レベルを使用者が設定した所定時間毎の音量軽減係数を用いて音量を軽減する機能と、使用者が設定した所定時間毎の最大音量値以上にならないように制御する機能を有することを特徴とするテレビジョン受像機。
【請求項２】
現在時刻を算出する計時手段と、所定時間及び所定時間における音量を軽減させる音量軽減係数及び音量の最大値（最大音量値）を記憶しておく記憶手段と、上記計時手段により得られた計時情報及び上記記憶手段に記憶してある上記所定時間及び上記音量軽減係数及び上記最大音量値を取得し、設定プログラムに基づき上記計時情報に応じた音量軽減係数及び上記計時情報に応じた最大音量値情報を出力する検出制御手段と上記検出制御手段からの情報に基づき音量を上記音量軽減係数によって音量の軽減を行い且つ上記最大音量値以上にならないよう音量を制御する音量制御手段とを具備したことを特徴とするテレビジョン受像機。
【発明の詳細な説明】
【技術分野】
【０００１】
本発明はテレビジョン受像機による騒音を防止するため、所定時間において音量レベルを使用者が設定した所定時間毎の係数を用いて軽減し、且つ使用者が設定した所定時間毎の最大音量値以上にならないように制御する機能を有する音量制御装置を備えたテレビジョン受像機に係わるものである。
【背景技術】
【０００２】
従来の技術としては、特開２００２−３５４３７３号に記載されたものが知られている。
【特許文献１】特開２００２−３５４３７３号公報
【発明の開示】
【発明が解決しようとする課題】
【０００３】
前記従来の技術では所定時間において最大音量値で音量規制を行うのみであり、これは周囲環境の雑音が低下する夜間などでの最大音量の規制を狙ったものである。しかしながら、この最大音量とは周囲への騒音にならない限界の音量であり、図２に示す様に実際に使用者が通常使用する音量領域では、通常時間帯となんら音量が変わる事はない。ところが、前記従来技術では、最大音量規制を行う夜間などの周囲雑音が減少する所定時間帯でも、上記通常使用する音量領域は、周囲雑音が減少していない通常使用時間帯と同じ音量が出力されるため、相対的に音量が上がって感じてしまうことから、使用者はその都度音量の調整を余儀なくされていた。
【０００４】
本発明は前記従来の課題を解決するもので、使用者がテレビジョン受像機における所定時間毎の音量軽減係数と最大音量値の制限を設定する事により、周囲環境の雑音に対しテレビジョン受像機の音量調節の煩わしさを低減し、且つテレビジョン受像機による騒音を防止するテレビジョン受像機を提供することを目的とする。
【課題を解決するための手段】
【０００５】
本発明は、現在時刻を算出する計時手段と、所定時間及び所定時間における音量を軽減させる音量軽減係数及び音量の最大値（最大音量値）を記憶しておく記憶手段と、上記計時手段により得られた計時情報及び上記記憶手段に記憶してある上記所定時間及び上記音量軽減係数及び上記最大音量値を取得し、設定プログラムに基づき上記計時情報に応じた音量軽減係数及び上記計時情報に応じた最大音量値情報を出力する検出制御手段と、上記検出制御手段からの情報に基づき音量を上記音量軽減係数によって音量の軽減を行い且つ上記最大音量値以上にならないよう音量を制御する音量制御手段とを具備したことを特徴とするテレビジョン受像機に関する。
【０００６】
本発明により、使用者がテレビジョン受像機における所定時間毎の音量軽減係数と最大音量値の制限を設定する事により、周囲環境の雑音に対しテレビジョン受像機の音量調節の煩わしさを低減し、且つテレビジョン受像機による騒音を防止するものである。
【発明の効果】
【０００７】
本発明のテレビジョン受像機によれば、所定時間において、音量レベルを使用者が設定した所定時間毎の音量軽減係数を用いて音量を軽減する機能と、使用者が設定した所定時間毎の最大音量値以上にならないように制御する機能を有することを特徴とし、使用者がテレビジョン受像機における所定時間毎の音量軽減係数と最大音量値の制限を設定する事により、図３の様に周囲環境の雑音が減少する時間帯において通常使用する音量領域でも所定の音量を軽減することが可能となるため、テレビジョン受像機の音量調節の煩わしさを低減し、且つテレビジョン受像機による騒音を防止することを実現することができる。
【発明を実施するための最良の形態】
【０００８】
以下、本発明を実施するための最良の形態について、図面を参照しながら説明する。
【０００９】
（実施の形態１）
図１はこの発明の実施の形態におけるテレビジョン受像機の主要構成要素を示すブロック図である。
【００１０】
図１において、音声信号１は、各種入力信号における音声信号である。キー入力部２及び、リモコン入力部３は、各種機能及び設定を行う為の入力装置からなり、本発明においては、使用者がキー操作或いはリモコン操作を行う事によって好みの所定時間における音量軽減係数と最大音量値の制限を設定することを可能にする設定手段である。
【００１１】
不揮発性メモリ４は、使用者が設定した所定時間及び予定時間における音量軽減係数と最大音量値を記憶するために用いる。計時回路５は、現在の時刻を計時し制御マイコン６に時間情報を出力する為の回路である。
【００１２】
制御マイコン６は、使用者が設定した情報及び時間情報等の各種情報を検出し、プログラムにより現在の時刻に応じた音量軽減係数及び最大音量値を求める検出制御手段７と、上記音量軽減係数及び最大音量値に基づき音声信号を制御する為の制御信号を出力する音量制御手段８の作用を行うものである。
【００１３】
音声処理回路９は、制御マイコン６からの制御信号に従い音声信号に増幅等の信号処理を施して出力する回路である。スピーカ１０は音声処理回路９からの音声信号を音声として再生するものである。
【００１４】
なお本実施の形態におけるキー入力部２及びリモコン入力部３は、タッチパネル等の各種機能及び設定が行える手段であれば実施する事が可能であり、これに限定されるものではない。
【００１５】
図４に示すフローチャートに従って音量制御方法を説明する。
【００１６】
まず、現在時刻を計時回路５から取得する（Ｓ１）。次に音量規制時間を不揮発性メモリ４から読み出す（Ｓ２）。
【００１７】
次に制御マイコン６は現在の時刻を音量規制時間と比較し（Ｓ３）、現在の時刻が音量規制を行わない時刻であれば、音量をそのまま出力し（Ｓ４）、現在の時刻が音量規制を行う時刻であれば、不揮発性メモリ４から現在の時刻に対応する音量軽減係数と最大音量値を読み出す（Ｓ５）。
【００１８】
次に現在の音量と前記Ｓ５にて読み出した音量軽減係数から軽減音量を算出する（Ｓ６）。前記Ｓ６にて算出された軽減音量と最大音量値を比較し（Ｓ７）、軽減音量が最大音量値よりも大きい場合には軽減音量を最大音量値に制限し（Ｓ８）、軽減音量が最大音量値以下の場合は、軽減音量値をそのままの値で出力する（Ｓ９）。
【００１９】
かかる構成によれば、例えば以下の様な仕様により使用者の音量調節の煩わしさを低減し、且つテレビジョン受像機による騒音を防止することを実現することが出来る。
【００２０】
図５に示す様に、使用者は２２時から６時までの時間帯において、音量軽減係数を６０％及び最大音量を２０と設定し、６時から８時までの時間帯と２０時から２２時までの時間帯において音量軽減係数を８０％及び最大音量を２５と設定したとする。このとき設定されたデータは不揮発性メモリ４に記憶されるため、使用者が電源再投入後にデータを再設定する必要はない。
【００２１】
設定後、使用者が０時から２１時までの間、音量を１０に設定していても音量軽減係数によって実際に出力される音声は実線の様に時間帯によって自動的に制限される。また、使用者が２１時に音量を３５に設定しようと試みても所定時間帯の軽減係数で音量が軽減され、さらに所定時間帯の最大音量を上回るため最大音量に規制され、それ以上の音量が出力される事は無い。
【００２２】
なお、本実施例における所定時間毎の音量軽減係数及び最大音量値は使用者が任意に設定できる事により、各使用者の使用状況に対応が可能である。
【産業上の利用可能性】
【００２３】
本発明にかかるテレビジョン受像機は、使用者が所定時間毎の音量軽減係数と最大音量値の制限を設定する事により、周囲環境の雑音が減少する時間帯において通常使用する音量領域でも所定の音量を軽減することが可能となるため、テレビジョン受像機の音量調節の煩わしさを低減と、騒音の防止を実現することが可能になるので、テレビジョン受像機による騒音を防止するため、所定時間において音量レベルを使用者が設定した所定時間毎の係数を用いて軽減し、且つ使用者が設定した所定時間毎の最大音量値以上にならないように制御する機能を有する音量制御装置を備えたテレビジョン受像機等として有用である。
【図面の簡単な説明】
【００２４】
【図１】本発明の実施の形態におけるテレビジョン受像機の主要構成要素を示すブロック図
【図２】従来例の形態における音量変化時の音声制御出力図
【図３】本発明の実施の形態における音量変化時の音声制御出力図
【図４】本発明の実施の形態における音量制御方法のフローチャート
【図５】本発明の実施の形態における所定時間毎の音量軽減係数と最大音量の設定例及び音量制御を示す図
【符号の説明】
【００２５】
１    音声信号
２    キー入力部
３    リモコン入力部
４    不揮発性メモリ
５    計時回路
６    制御マイコン
７    検出制御手段
８    音量制御手段
９    音声処理回路
１０    スピーカ
【図１】
2006060354.tif 000003
【図２】
2006060354.tif 000004
【図３】
2006060354.tif 000005
【図４】
2006060354.tif 000006
【図５】
2006060354.tif 000007